(57)【要約】【課題】十分な強度を有し、腐食に強い汚泥かき寄せ機及び無端チェーンを提供すること。【解決手段】長尺のフライト体を、その長手方向に対して垂直な方向に走行させて、沈殿池の池底に堆積する汚泥を掻き寄せる汚泥かき寄せ機であって、複数の前記フライト体が所定の間隔で固定された複数のチェーンリンクを連結軸によって枢着して無端に連結した一対の無端チェーンと、前記沈殿池内に配設され、張架された前記無端チェーンを循環駆動させることによって前記池底に沈殿した汚泥を前記フライト体により掻き寄せる主務スプロケットホイール及び従動スプロケットホイールとを備え、前記無端チェーンにおける前記チェーンリンク及び前記連結軸がＰＣ（ポリカーボネート）で構成されることを特徴とする汚泥かき寄せ機。【選択図】図１
2020124660.tif 000002
【特許請求の範囲】
【請求項１】
長尺のフライト体を、その長手方向に対して垂直な方向に走行させて、沈殿池の池底に堆積する汚泥を掻き寄せる汚泥かき寄せ機であって、
複数の前記フライト体が所定の間隔で固定された複数のチェーンリンクを連結軸によって枢着して無端に連結した一対の無端チェーンと、
前記沈殿池内に配設され、張架された前記無端チェーンを循環駆動させることによって前記池底に沈殿した汚泥を前記フライト体により掻き寄せる主務スプロケットホイール及び従動スプロケットホイールとを備え、
前記無端チェーンにおける前記チェーンリンク及び前記連結軸がＰＣ（ポリカーボネート）で構成されることを特徴とする汚泥かき寄せ機。
【請求項２】
前記チェーンリンクに挿入された前記連結軸の一端側に取り付けられる抜け止め用のピンフックをさらに備え、
前記ピンフックがＰＣで構成されたことを特徴とする請求項１に記載の汚泥かき寄せ機。
【請求項３】
前記ピンフックには中抜き孔が設けられたことを特徴とする請求項２に記載の汚泥かき寄せ機。
【請求項４】
前記複数のチェーンリンクを連結する複数の前記連結軸において、隣り合う前記連結軸は互い違いの向きに挿入されたことを特徴とする請求項１乃至請求項３のいずれかに記載の汚泥かき寄せ機。
【請求項５】
前記複数のチェーンリンクは、各々、
前記連結軸を挿入するための第１の貫通孔（ボス）を有する筒状の基部と、
前記基部の両端から長手方向に対し垂直方向に左右対称に各々延在する一対のプレート部とを備え、
前記プレート部は、各々
前記基部とは反対側に連結軸を挿入するための第２の貫通孔（ボス）と、前記第２の貫通孔の周囲を取り囲むようにして、前記プレート部同士が対向する内側主面と反対側の外側主面に対して垂直方向に隆起した第１のリブ部を有することを特徴とする請求項１乃至請求項４のいずれかに記載の汚泥かき寄せ機。
【請求項６】
前記一対のプレート部は、各々、
前記外側主面に対して垂直方向に隆起し、前記第１の貫通孔から前記第２の貫通孔にかけて延在する第２のリブ部を有することを特徴とする請求項５に記載の汚泥かき寄せ機。
【請求項７】
前記第２のリブ部は、前記第１の貫通孔から前記第２の貫通孔に向けて途中で分岐した略Ｙ字型に設けられたことを特徴とする請求項６に記載の汚泥かき寄せ機。
【請求項８】
長尺のフライト体を、その長手方向に対して垂直な方向に走行させて、沈殿池の池底に堆積する汚泥を掻き寄せる汚泥かき寄せ機で用いられる無端チェーンであって、
前記無端チェーンは、
複数の前記フライト体が所定の間隔で固定された複数のチェーンリンクを連結軸によって枢着して無端に連結されてなり、
前記チェーンリンク及び前記連結軸がＰＣ（ポリカーボネート）で構成されることを特徴とする無端チェーン。
【請求項９】
前記チェーンリンクに挿入された前記連結軸の一端側に取り付けられる抜け止め用のピンフックをさらに備え、
前記ピンフックがＰＣで構成されたことを特徴とする請求項８に記載の無端チェーン。
【請求項１０】
前記ピンフックには中抜き孔が設けられたことを特徴とする請求項９に記載の無端チェーン。
【請求項１１】
前記複数のチェーンリンクを連結する複数の前記連結軸において、隣り合う前記連結軸は互い違いの向きに挿入されたことを特徴とする請求項８乃至請求項１０のいずれかに記載の無端チェーン。
【請求項１２】
前記複数のチェーンリンクは、各々、
前記連結軸を挿入するための第１の貫通孔（ボス）を有する筒状の基部と、
前記基部の両端から長手方向に対し垂直方向に左右対称に各々延在する一対のプレート部とを備え、
前記プレート部は、各々
前記基部とは反対側に連結軸を挿入するための第２の貫通孔（ボス）と、前記第２の貫通孔の周囲を取り囲むようにして、前記プレート部同士が対向する内側主面と反対側の外側主面に対して垂直方向に隆起した第１のリブ部を有することを特徴とする請求項８乃至請求項１１のいずれかに記載の無端チェーン。
【請求項１３】
前記一対のプレート部は、各々、
前記外側主面に対して垂直方向に隆起し、前記第１の貫通孔から前記第２の貫通孔にかけて延在する第２のリブ部を有することを特徴とする請求項１２に記載の無端チェーン。
【請求項１４】
前記第２のリブ部は、前記第１の貫通孔から前記第２の貫通孔に向けて途中で分岐した略Ｙ字型に設けられたことを特徴とする請求項１３に記載の無端チェーン。
【発明の詳細な説明】
【技術分野】
【０００１】
本発明は、汚泥かき寄せ機及び無端チェーンに関し、特に、長尺のフライト体を、その長手方向に対して垂直な方向に走行させて、沈殿池の池底に堆積する汚泥を掻き寄せる汚泥かき寄せ機及び無端チェーンに関する。
【背景技術】
【０００２】
下水処理場では、下水道の汚水を浄化し、河川、湖沼または海へ放流している。下水処理場に入ってきた汚水は、スクリーンによりゴミが除去された後、ポンプで最初沈殿池に送られる。ここでは、主に比重差を利用して、重力沈降により御水中の沈殿しやすい汚れが除去される。次に、汚水は、生物反応槽に送られ、返送汚泥が加えられて高濃度の微生物によって有機物の吸着、摂取、消化分解が行われる。次に、汚水は、最終沈殿池に送られる。この最終沈殿池では、活性汚泥をゆっくり沈殿させ上澄みを河川、湖沼または海へ放流し、最終沈殿池の活性汚泥はポンプで生物反応槽に送られ再び使用される。
【０００３】
最終沈殿池では、汚泥かき寄せ機により、最終沈殿池の池底に堆積する汚泥がかき寄せられて集泥ピットに集められる。ここで、下水中には腐食成分が含まれていることから、最終沈殿池の池底に沈殿した汚泥には腐食成分が凝縮されている。このため、従来から汚泥かき寄せ機に腐食対策が行われている。
【０００４】
例えば、従来の汚泥かき寄せ機では、腐食を防止するために構成部材をステンレス製としている。しかしながら、汚泥かき寄せ機をステンレス製としても、フライト体内部に腐食成分が凝縮された汚泥が詰まり、経時的にそれが腐敗してくると、フライト体が内面から腐食する虞がある。
【０００５】
そこで、特許文献１に開示される発明では、ステンレス鋼で形成されて内部に中空部を有するフライト体において、フライト体の何れかの面に内部の中空部と連通する開口部を形成することが提案されている。また、この開口部は、掻寄背面に設けられることが好ましく、掻寄背面と両端面とに設けられることがさらに好ましいことが開示されている。
【先行技術文献】
【特許文献】
【０００６】
【特許文献１】特開２００４−２８３７８６号公報
【発明の概要】
【発明が解決しようとする課題】
【０００７】
しかしながら、特許文献１に開示される発明では、かき寄せ機自体をステンレス鋼で構成しているものの、ステンレス鋼が経年劣化により腐食する虞がある。そこで、腐食を防止するために、汚泥かき寄せ機の構成部材を樹脂製としたものがある。
【０００８】
しかし、下水処理の汚泥は、硫化水素が含まれ強い腐食性を有している。このため、汚泥かき寄せ機の構成部材を樹脂製とする場合、硫化水素の強い酸性による腐食を防止するためにＰＯＭ（ポリアセタール又はポリオキシメチレン）を使用することが多い。しかしながらＰＯＭは、耐酸性に優れるがホルムアルデヒドを含んでおり、このホルムアルデヒドが溶出するため上水の処理には使用することができないという問題がある。
【０００９】
また、汚泥かき寄せ機の構成部材をＰＯＭとした場合、摺動性の問題から、無端チェーンを構成するチェーンリンクを接続する連結軸（ピン）の構成部材としてナイロンが使用される。しかしながら、ナイロン製の連結軸（ピン）は、吸水率が約３％であることから、水中で使用する汚泥かき寄せ機では、ナイロン製ピンが膨潤し、チェーンリンクの動きが悪く（しぶく）なる。また、近年水温が上昇していることで、無端チェーンの伸びが心配されるが、ＰＯＭやナイロンは、熱膨張率が高いため無端チェーンがスプロケットホイールから脱輪する虞がある。
【００１０】
本発明は、上記した課題を解決するためになされたものであり、十分な強度を有し、腐食に強い汚泥かき寄せ機及び無端チェーンを提供することを目的とする。
【課題を解決するための手段】
【００１１】
上記の課題を解決すべく、本発明に係る汚泥かき寄せ機は、長尺のフライト体を、その長手方向に対して垂直な方向に走行させて、沈殿池の池底に堆積する汚泥を掻き寄せる汚泥かき寄せ機であって、複数の前記フライト体が所定の間隔で固定された複数のチェーンリンクを連結軸によって枢着して無端に連結した一対の無端チェーンと、前記沈殿池内に配設され、張架された前記無端チェーンを循環駆動させることによって前記池底に沈殿した汚泥を前記フライト体により掻き寄せる主務スプロケットホイール及び従動スプロケットホイールとを備え、前記無端チェーンにおける前記チェーンリンク及び前記連結軸がＰＣ（ポリカーボネート）で構成されることを特徴とする。
【００１２】
上記のように本発明に係る汚泥かき寄せ機は、無端チェーンにおけるチェーンリンク及び連結軸がＰＣで構成されている。ＰＣは、有害物質（例えば、ホルムアルデヒド）を放出しないため、下水処理だけでなく上水処理においても使用することができる。また、ＰＣの引張強度はＰＯＭ（ポリアセタール又はポリオキシメチレン）よりも高く、経年劣化によるチェーンの伸びが少ない。さらに、ＰＣを用いることでステンレスよりも腐食に強く、かつ安価な汚泥かき寄せ機を提供することができる。また、ＰＣはＰＯＭに比較して再利用が容易であるため資源を有効利用することができる。なお、ＰＣを着色しない又は透光性を有する程度（内部状態がわかる程度）に着色した場合、チェーンリンク及び連結軸が透光性を有しているため、ＰＣによる成型時に生じやすい内部の気泡の状態を目視で的確に把握することができる。また、チェーンリンクを接続する連結軸の構成部材がナイロンではなくＰＣであるため、ナイロンのように連結軸が膨潤し、チェーンリンクの動きが悪く（しぶく）なる虞を低減することができる。また、ＰＯＭやナイロンよりも熱膨張率が低いため無端チェーンがスプロケットホイールから脱輪する虞を低減することができる。
【００１３】
また、本発明に係る汚泥かき寄せ機では、前記チェーンリンクに挿入された前記連結軸の一端側に取り付けられる抜け止め用のピンフックをさらに備え、前記ピンフックがＰＣで構成されたことを特徴とする。また、前記ピンフックには中抜き孔が設けられていることを特徴とする。上記のように本発明に係る汚泥かき寄せ機では、連結軸の抜け止め用のピンフックがＰＣで構成されているため、ＰＯＭよりも引張強度が高く、経年劣化による耐久性も高く、ステンレスよりも腐食に強く、安価な汚泥かき寄せ機を提供することができる。また、ピンフックに中抜き孔が設けられていることで、ＰＣによる成型時に気泡が混入することを抑制することができる。
【００１４】
また、本発明に係る汚泥かき寄せ機では、前記複数のチェーンリンクを連結する複数の前記連結軸において、隣り合う前記連結軸は互い違いの向きに挿入されたことを特徴とする。上記のように本発明に係る汚泥かき寄せ機における隣り合う前記連結軸が互い違いの向きに挿入されていることで、連結軸の形状の非対称性に基づく無端チェーンの伸びのアンバランスが抑制され、無端チェーンの進行方向への直進性を保ちやすくなる。
【００１５】
また、本発明に係る汚泥かき寄せ機の前記複数のチェーンリンクは、各々、前記連結軸を挿入するための第１の貫通孔（ボス）を有する筒状の基部と、前記基部の両端から長手方向に対し垂直方向に左右対称に各々延在する一対のプレート部とを備え、前記プレート部は、各々前記基部とは反対側に連結軸を挿入するための第２の貫通孔（ボス）と、前記第２の貫通孔の周囲を取り囲むようにして、前記プレート部同士が対向する内側主面と反対側の外側主面に対して垂直方向に隆起した第１のリブ部を有することを特徴とする。
【００１６】
上記のように本発明に係る汚泥かき寄せ機の各チェーンリンクを構成する一対のプレート部は、基部とは反対側に連結軸を挿入するための第２の貫通孔（ボス）を有し、この第２の貫通孔の周囲を取り囲むようにして、プレート部同士が対向する内側主面と反対側の外側主面に対して垂直方向に隆起した第１のリブ部を有する。このチェーンリンクでは、力の掛かる連結軸を挿入する第２の貫通孔の周囲にプレート部同士が対向する内側主面と反対側の外側主面に対して垂直方向に隆起した第１のリブ部を設けるようにしたので、各部材が合成樹脂材料で構成されていても十分な強度を得ることが出来る。
【００１７】
また、本発明に係る汚泥かき寄せ機の前記複数のチェーンリンクの前記一対のプレート部は、各々、前記外側主面に対して垂直方向に隆起し、前記第１の貫通孔から前記第２の貫通孔にかけて延在する第２のリブ部を有することを特徴とする。
【００１８】
上記のように本発明に係る汚泥かき寄せ機の複数のチェーンリンクの一対のプレート部は、各々、外側主面に対して垂直方向に隆起し、第１の貫通孔から第２の貫通孔にかけて延在する第２のリブ部を有するので、さらに強度を高めることができる。
【００１９】
また、本発明に係る汚泥かき寄せ機において、前記第２のリブ部は、前記第１の貫通孔から前記第２の貫通孔に向けて途中で分岐した略Ｙ字型に設けられたことを特徴とする。このように、第２のリブ部が略Ｙ字型に設けられることで、一対のプレート部における間の開いている第２の貫通孔側の補強効果をさらに高めることができる。
【００２０】
本発明に係る無端チェーンは、長尺のフライト体を、その長手方向に対して垂直な方向に走行させて、沈殿池の池底に堆積する汚泥を掻き寄せる汚泥かき寄せ機で用いられる無端チェーンであって、複数の前記フライト体が所定の間隔で固定された複数のチェーンリンクを連結軸によって枢着して無端に連結されてなり、前記チェーンリンク及び前記連結軸がＰＣ（ポリカーボネート）で構成されることを特徴とする。
【００２１】
上記のように本発明に係る無端チェーンは、チェーンリンク及び連結軸がＰＣで構成されているため、有害物質（例えば、ホルムアルデヒド）を放出せず、下水処理だけでなく上水処理においても使用することができる。また、ＰＣの引張強度はＰＯＭよりも高く、経年劣化によるチェーンの伸びが少ない。さらに、ＰＣを用いることでステンレスよりも腐食に強く、かつ安価な汚泥かき寄せ機を提供することができる。また、ＰＣはＰＯＭに比較して再利用が容易であるため資源を有効利用することができる。なお、ＰＣを着色しない又は透光性を有する程度（内部状態がわかる程度）に着色した場合、チェーンリンク及び連結軸が透光性を有しているため、ＰＣで成形した場合の内部の気泡の状態を目視で的確に把握することができる。また、チェーンリンクを接続する連結軸の構成部材がナイロンではなくＰＣであるため、ナイロンのように連結軸が膨潤し、チェーンリンクの動きが悪く（しぶく）なる虞を低減することができる。また、ＰＯＭやナイロンよりも熱膨張率が低いため無端チェーンがスプロケットホイールから脱輪する虞を低減することができる。
【００２２】
また、本発明に係る無端チェーンでは、前記チェーンリンクに挿入された前記連結軸の一端側に取り付けられる抜け止め用のピンフックをさらに備え、前記ピンフックがＰＣで構成されたことを特徴とする。また、前記ピンフックには中抜き孔が設けられていることを特徴とする。上記のように本発明に係る無端チェーンでは、連結軸の抜け止め用のピンフックがＰＣで構成されているため、ＰＯＭよりも引張強度が高く、経年劣化による耐久性も高く、ステンレスよりも腐食に強く、安価な無端チェーンを提供することができる。また、ピンフックに中抜き孔が設けられていることで、ＰＣによる成型時に気泡が混入することを抑制することができる。
【００２３】
また、本発明に係る無端チェーンでは、前記複数のチェーンリンクを連結する複数の前記連結軸において、隣り合う前記連結軸は互い違いの向きに挿入されたことを特徴とする。上記のように本発明に係る無端チェーンにおける隣り合う前記連結軸が互い違いの向きに挿入されていることで、連結軸の形状の非対称性に基づく無端チェーンの伸びのアンバランスが抑制され、無端チェーンの進行方向への直進性を保ちやすくなる。
【００２４】
また、本発明に係る無端チェーンの前記複数のチェーンリンクは、各々、前記連結軸を挿入するための第１の貫通孔（ボス）を有する筒状の基部と、前記基部の両端から長手方向に対し垂直方向に左右対称に各々延在する一対のプレート部とを備え、前記プレート部は、各々前記基部とは反対側に連結軸を挿入するための第２の貫通孔（ボス）と、前記第２の貫通孔の周囲を取り囲むようにして、前記プレート部同士が対向する内側主面と反対側の外側主面に対して垂直方向に隆起した第１のリブ部を有することを特徴とする。
【００２５】
上記のように本発明に係る無端チェーンの各チェーンリンクを構成する一対のプレート部は、基部とは反対側に連結軸を挿入するための第２の貫通孔（ボス）を有し、この第２の貫通孔の周囲を取り囲むようにして、プレート部同士が対向する内側主面と反対側の外側主面に対して垂直方向に各々隆起した第１のリブ部を有する。このチェーンリンクでは、力の掛かる連結軸を挿入する第２の貫通孔の周囲にプレート部同士が対向する内側主面と反対側の外側主面に対して垂直方向に隆起した第１のリブ部を設けるようにしたので、各部材が合成樹脂材料で構成されていても十分な強度を得ることが出来る。
【００２６】
また、本発明に係る無端チェーンの前記複数のチェーンリンクの前記一対のプレート部は、各々、前記外側主面に対して垂直方向に隆起し、前記第１の貫通孔から前記第２の貫通孔にかけて延在する第２のリブ部を有することを特徴とする。
【００２７】
上記のように本発明に係る無端チェーンの複数のチェーンリンクの一対のプレート部は、各々、外側主面に対して垂直方向に隆起し、第１の貫通孔から第２の貫通孔にかけて延在する第２のリブ部を有するので、さらに強度を高めることができる。
【００２８】
また、本発明に係る無端チェーンにおいて、前記第２のリブ部は、前記第１の貫通孔から前記第２の貫通孔に向けて途中で分岐した略Ｙ字型に設けられたことを特徴とする。このように、第２のリブ部が略Ｙ字型に設けられることで、一対のプレート部における間の開いている第２の貫通孔側の補強効果をさらに高めることができる。
【発明の効果】
【００２９】
以上説明したように、本発明によれば、十分な強度を有し、腐食に強い汚泥かき寄せ機及び無端チェーンを提供することができる。
【図面の簡単な説明】
【００３０】
【図１】沈殿池及び汚泥かき寄せ機の断面図である。
【図２】スプロケットホイールの平面図である。
【図３】無端チェーンを構成するチェーンリンクの構成図である。
【図４】無端チェーンの一部における分解斜視図である。
【図５】スプロケットホイールと無端チェーンとの噛み合いを示す図である。
【図６】支持部材の断面図である。
【図７】他の実施形態におけるスプロケットホイールと無端チェーンとの噛み合いを示す図である。
【発明を実施するための形態】
【００３１】
以下、図面を参照して本発明の実施形態を説明する。図１は、下水場における沈殿池Ａの縦断面を示した図である。沈殿池Ａ内には、実施形態に係る汚泥かき寄せ機１が設置されている。
【００３２】
図１に示すように、汚泥かき寄せ機１は、フライト体１００と、無端チェーン２００と、主務スプロケットホイール３００と、従動スプロケットホイール４００と、駆動手段５００とを備える。沈殿池Ａの左右壁には、それぞれ主務スプロケットホイール３００と、複数の従動スプロケットホイール４００とが設置されており、主務スプロケットホイール３００には、主務スプロケットホイール３００を駆動回転させるモータ５２０を備えた駆動装置（駆動手段）５００が動力伝達ベルト５１０を介して連結されている。
【００３３】
ここで、主務スプロケットホイール３００は、沈殿池Ａの長手方向端部における水面ＷＬ近くに支持部材６００により沈殿池Ａの壁面に支持され、一の従動スプロケットホイール４００は、沈殿池Ａの長手方向略中央における水面ＷＬ近くに支持され、他の従動スプロケットホイール４００は、沈殿池Ａの長手方向両端側における池底ＢＴ近くに支持部材６００により沈殿池Ａの壁面に支持されている。
【００３４】
無端チェーン２００は、沈殿池Ａの左右壁に夫々設けられた主務スプロケットホイール３００及び複数の従動スプロケットホイール４００に回動自在に張架された左右一対の無端チェーン２００からなり、複数のチェーンリンク２１０（図３参照）を連結軸によって枢着して無端に連結されている。
【００３５】
沈殿池Ａの左側の壁及び右側の壁の各々に沿って設けられた左右一対の無端チェーン２００の間には、所定の間隔で長尺のフライト体１００が架け渡されて固定されており、主務スプロケットホイール３００を回転動作させ、無端チェーン２００を沈殿池Ａ内で図１に向かって時計回り（ＣＷ）に循環駆動させることにより池底に沈殿した汚泥がフライト体１００により汚泥ピット（排出溝）１５へと掻き寄せられる。
【００３６】
ここで、本実施形態の汚泥かき寄せ機１の無端チェーン２００におけるチェーンリンク２１０（図３参照）及び連結軸２４０（図４参照）は、ＰＣ（ポリカーボネート）で構成されている。
【００３７】
また、本実施形態の汚泥かき寄せ機１の主務スプロケットホイール３００及び従動スプロケットホイール４００の各部材は、ＰＥＴ（ポリエチレンテレフタラート）、ＰＥＮ（ポリエチレンナフタレート）又はＰＣ（ポリカーボネート）から選択される合成樹脂材料で構成されることが好ましい。また、本実施形態に係る汚泥かき寄せ機１の主務スプロケットホイール３００及び従動スプロケットホイール４００の各部材を構成する合成樹脂であるＰＥＴ又はＰＥＮは、非着色の状態で透明又は半透明であること、すなわち結晶化していないことが好ましい。
【００３８】
（スプロケットホイール）
図２は、主務スプロケットホイール３００の平面図である。以下、図２を参照して、主務スプロケットホイール３００の構成について説明する。図２に示すように、主務スプロケットホイール３００は、ＰＥＴ、ＰＥＮ又はＰＣから選択される合成樹脂材料からなる円盤形状の部材であり、中央にシャフト（主軸）を通すための貫通孔３０１を有する。
【００３９】
主務スプロケットホイール３００は、円周上に所定の幅で形成された歯部３０２を有する。歯部３０２が無端チェーン２００と噛み合うことで、主務スプロケットホイール３００を回転動作させて無端チェーン２００を循環駆動させることができる。また、主務スプロケットホイール３００には、強度確保の観点から貫通孔３０１に周囲を取り囲むようにして隆起したリブ部３０３と、該リブ部３０３から主務スプロケットホイール３００の外周側（歯部３０２）に向かって延在する複数本のリブ部３０４と、リブ部３０４間に設けられた複数の中抜き孔３０５Ｈと、が設けられている。なお、従動スプロケットホイール４００の構成は、主務スプロケットホイール３００の構成と同じであるため重複する説明は省略する。
【００４０】
（無端チェーン）
図３は、無端チェーンを構成するチェーンリンクの構成図である。図３（ａ）には、無端チェーン２００を構成するチェーンリンク２１０の上面図が示される。図３（ｂ）には、無端チェーン２００を構成するチェーンリンク２１０の側面図が示される。
図４は、無端チェーンの一部における分解斜視図である。なお、図４には、無端チェーン２００のうち４つのチェーンリンク２１０の部分の分解斜視図が示される。
以下、図３及び図４を参照して、無端チェーン２００の構成について説明する。図４に示すように、無端チェーン２００は、複数のチェーンリンク２１０が連結されて構成される。各チェーンリンク２１０はＰＣからなり、連結軸２４０を挿入するための第１の貫通孔２１０Ｈ（ボス）を有する筒状の基部２１１と、基部２１１の両端２１１Ａ，２１１Ｂから長手方向に対し垂直方向に左右対称に各々延在する一対のプレート部２２０，２３０とを備える。
【００４１】
プレート部２２０，２３０は、各々基部２１１とは反対側に連結軸２４０（図４参照）を挿入するための第２の貫通孔（ボス）２２０Ｈ，２３０Ｈと、第２の貫通孔２２０Ｈ，２３０Ｈの周囲を取り囲むようにして、プレート部２２０，２３０同士が対向する内側主面２２０Ａ，２３０Ａと反対側の外側主面２２０Ｂ，２３０Ｂに対して垂直方向に隆起した第１のリブ部２２０Ｄ，２３０Ｄを有する。また、一対のプレート部２２０，２３０は、各々、外側主面２２０Ｂ，２３０Ｂに対して垂直方向に隆起し、第１の貫通孔２１０Ｈから第２の貫通孔２２０Ｈ，２３０Ｈにかけて延在する第２のリブ部２２０Ｅ，２３０Ｅを有する。そして、無端チェーン２００の回転方向に対して上手側のチェーンリンク２１０の第２の貫通孔２２０Ｈ，２３０Ｈと、下手側のチェーンリンク２１０の第１の貫通孔２１０Ｈとを連結軸２４０（図４参照）により枢着して無端に連結することで無端チェーン２００を得ることができる。
【００４２】
ここで、基部２１１に設けられた第１の貫通孔２１０Ｈ（ボス）から基部２１１とは反対側に設けられた連結軸２４０を挿入するための第２の貫通孔（ボス）２２０Ｈ，２３０Ｈまでの直線距離Ｌ１は約１５２．４ｍｍである。また、チェーンリンク２１０の強度を確保するために、一対のプレート部２２０，２３０の前端部Ｔ１の厚みＤ１は、７ｍｍ以上であることが好ましく、後端部Ｔ２の厚みＤ２は、５ｍｍ以上であることが好ましい。
【００４３】
また、第２のリブ部２２０Ｅ，２３０Ｅの各々は、第１の貫通孔２１０Ｈから第２の貫通孔２２０Ｈ，２３０Ｈにかけて途中で分岐した略Ｙ字型に設けられる。すなわち、第２のリブ部２２０Ｅ，２３０Ｅの各々は、プレート部２２０，２３０の中央部から第１の貫通孔２１０Ｈ側に延在する１本の中央部分２３１と、中央部分２３１から第２の貫通孔２２０Ｈ，２３０Ｈ側へ二手に分かれて所定の角度で拡がり第１のリブ部２２０Ｄ，２３０Ｄまで延在する枝部分２３２とを有する。
【００４４】
一方、一対のプレート部２２０，２３０における間の閉じている第１の貫通孔２１０Ｈ側は、１本の中央部分２３１によって補強され、材料の抑制を図ることができる。なお、第２のリブ部２２０Ｅ，２３０Ｅの各々の隆起の高さは、第１の貫通孔２１０Ｈから第２の貫通孔２２０Ｈ，２３０Ｈにかけて徐々に高くなるよう設けられていてもよい。これにより、第２のリブ部２２０Ｅ，２３０Ｅによってチェーンリンク２１０の幅を不要に拡げることがなくなる。
【００４５】
また、第１のリブ部２２０Ｄ，２３０Ｄの周辺に、複数のリブ部２３５が放射状に設けられていてもよい。図４に示す例では、第１のリブ部２２０Ｄ，２３０Ｄの各々の周辺に３つのリブ部２３５が設けられている。これにより、プレート部２２０，２３０における第１のリブ部２２０Ｄ，２３０Ｄの各々の周辺の強度をさらに高めることができる。
【００４６】
なお、一対のプレート部２２０，２３０の第２の貫通孔２２０Ｈ，２３０Ｈの周囲を取り囲むようにして、プレート部２２０，２３０同士が対向する内側主面２２０Ａ，２３０Ａに対して垂直方向に各々隆起した第３のリブ部を設けるようにしてもよい。この場合、第３のリブ部の厚みは、０．５ｍｍ〜１．５ｍｍの範囲であることが好ましい。また、第３のリブ部は、その断面形状が台形状となっており、該台形の最上面が所定の幅を有する平坦面となっていることが好ましい。
【００４７】
図４に示すように、無端チェーン２００は、複数のチェーンリンク２１０を連結軸２４０によって枢着して無端に連結されたものである。複数のチェーンリンク２１０のうちのいずれかには、フライト体１００を取り付けるための固定部材２７０が設けられる。
【００４８】
無端チェーン２００において、隣り合う２つのチェーンリンク２１０の一方のチェーンリンク２１０の基部２１１側が、他方のチェーンリンク２１０の基部２１１とは反対側のプレート部２２０，２３０の間に挿入される。そして、両チェーンリンク２１０の第１の貫通孔２１０Ｈと第２の貫通孔２３０Ｈとが合わされた状態で、第１の貫通孔２１０Ｈ及び第２の貫通孔２３０Ｈを貫くように連結軸２４０を挿入するによって、２つのチェーンリンク２１０が連結される。
【００４９】
連結軸２４０の端部には軸部分よりも径の大きな頭部２４１が設けられる。したがって、連結軸２４０の先端（頭部２４１とは反対側）から第１の貫通孔２１０Ｈ及び第２の貫通孔２３０Ｈに挿入することで、頭部２４１がチェーンリンク２１０に当たる位置まで差し込むことができる。頭部２４１の外周の一部には平坦部２４１１が設けられており、第１のリブ部２３０Ｄに設けられた凸部２３０１と位置合わせされることで、挿入した連結軸２４０の回転が防止される。
【００５０】
連結軸２４０の先端側には切り欠き部２４３が設けられる。切り欠き部２４３は軸部分の両側に設けられる。これにより、連結軸２４０を第１の貫通孔２１０Ｈ及び第２の貫通孔２３０Ｈに挿入した状態で、第１の貫通孔２１０Ｈ及び第２の貫通孔２３０Ｈから突き抜けた連結軸２４０の先端の切り欠き部２４３に、抜け止め用のピンフック２５０を嵌め込むことができる。ピンフック２５０は略Ｃ字型のクリップ部材である。切り欠き部２４３の位置にピンフック２５０を嵌め込むことで、嵌め込んだピンフック２５０の脱落防止効果が高まる。
【００５１】
本実施形態に係る無端チェーン２００では、ピンフック２５０がＰＣで構成されていることが好ましい。また、ピンフック２５０には、中抜き孔２５０Ｈが設けられていることが好ましい。図４に示す例では、１つのピンフック２５０に３つの中抜き孔２５０Ｈが設けられている。
【００５２】
また、本実施形態に係る無端チェーン２００では、複数のチェーンリンク２１０を連結する複数の連結軸２４０において、隣り合う連結軸２４０を互い違いの向きに挿入している。すなわち、隣り合う２つの連結軸２４０において、先端の向き（または、頭部２４１の向き）が互い違いになっている（連結軸２４０の挿入方向が互い違い）。
【００５３】
図５は、スプロケットホイールと無端チェーンとの噛み合いを示す図である。図５に示すように、チェーンリンク２１０を連結した際にできる隙間２１０Ｓ（図３参照）に主務スプロケットホイール３００の円周上に所定の幅で形成された歯部３０２が入り込んで噛み合うことにより、図１に示すように、主務スプロケットホイール３００の回転に伴い無端チェーン２００が沈殿池Ａ内で図１に向かって時計回り（ＣＷ）に循環駆動することにより池底に沈殿した汚泥がフライト体１００により汚泥ピット（排出溝）１５へと掻き寄せられる。
【００５４】
図６は、支持部材６００の断面図である。支持部材６００は、底部６００Ｓが沈殿池Ａの壁面に固定され、上部には主務スプロケットホイール３００又は従動スプロケットホイール４００を回転自在に係合するための括れ部６１０が設けられている。支持部材６００は、強度を確保するために括れ部６１０の厚みＤ１が１２ｍｍ以上、肩部６２０の厚みＤ２が１５ｍｍ以上、本体部６３０の厚みＤ３が１３ｍｍ以上であることが好ましい。なお、支持部材６００は、主務スプロケットホイール３００又は従動スプロケットホイール４００が回転摺動することからこすれ音が発生する虞がある。そのような場合は、支持部材６００や主務スプロケットホイール３００、従動スプロケットホイール４００を摺動性に優れる材料、例えば、樹脂ベアリング等に使用されるＵＨＭＷ（超高分子量ポリエチレン）で構成するようにしてもよい。
【００５５】
以上のように、本実施形態に係る汚泥かき寄せ機１は、長尺のフライト体１００を、その長手方向に対して垂直な方向に走行させて、沈殿池Ａの池底ＢＴに堆積する汚泥を掻き寄せる汚泥かき寄せ機１である。汚泥かき寄せ機１は、複数のフライト体１００が所定の間隔で固定された複数のチェーンリンク２１０を連結軸によって枢着して無端に連結した一対の無端チェーン２００と、沈殿池内に配設され、張架された無端チェーン２００を循環駆動させることによって池底ＢＴに沈殿した汚泥をフライト体１００により掻き寄せる主務スプロケットホイール３００及び従動スプロケットホイール４００とを備える。
【００５６】
そして、汚泥かき寄せ機１は、無端チェーン２００におけるチェーンリンク２１０及び連結軸２４０がＰＣで構成される。このため、汚泥かき寄せ機１は、腐食に強く、かつ安価となる。また、ＰＣの引張強度はＰＯＭよりも高く、経年劣化によるチェーンの伸びが少ない。また、ステンレス鋼で構成される汚泥かき寄せ機よりも重量が軽いため、現場での施工期間も短縮することができ、施工費用も従来と比して安価となる。また、ＰＣは、ＰＯＭ（ポリアセタール又はポリオキシメチレン）のようにホルムアルデヒドのような有害物質を放出しないため、下水処理だけでなく、上水処理においても使用することができる。また、ＰＣはＰＯＭに比較して再利用が容易であるため資源を有効利用することができる。
【００５７】
さらに、ＰＣを着色しない又は透光性を有する程度（内部状態がわかる程度）に着色した場合、チェーンリンク２１０及び連結軸２４０が透光性を有しているため、ＰＣで成形した場合の内部の気泡の状態を目視で的確に把握することができる。すなわち、本実施形態において、チェーンリンク２１０及び連結軸２４０などの部材を構成するＰＣの透光性とは、部材の内部に混入した気泡を部材の外部から目視で把握できる程度の光（可視光（波長３６０ｎｍ〜８３０ｎｍ程度の光））の透過性を有することを言う。
【００５８】
チェーンリンク２１０及び連結軸２４０をＰＣで成型する際、射出成形などの工程の途中で内部に気泡が混入すると、チェーンリンク２１０及び連結軸２４０の強度不足を招く恐れがある。また、気泡が混入していたとしても、部材の中心部分に混入した微小な気泡であれば強度に問題はなく、部材の表面近傍に混入している所定サイズより大きな気泡については強度に影響を及ぼす可能性がある。
【００５９】
ＰＣを着色しない又は透光性を有する程度（内部状態がわかる程度）に着色した場合、チェーンリンク２１０及び連結軸２４０が透光性を有することで、成型したチェーンリンク２１０及び連結軸２４０を組み付ける前に目視で気泡の状態（気泡の有無、混入位置、大きさなど）を容易に把握することができ、不良品や不良の可能性のあるものを、組み付け前に除外することができる。
【００６０】
チェーンリンク２１０及び連結軸２４０の一つひとつの気泡は小さくても、長い無端チェーン２００を構成するためには多数のチェーンリンク２１０及び連結軸２４０が必要になる。したがって、一つひとつ気泡をチェックして、良品となる多数のチェーンリンク２１０及び連結軸２４０を事前に選別して無端チェーン２００を構成することにより、強度及び耐久性に優れた無端チェーン２００を提供することが可能となる。特に、汚泥かき寄せ機１で使用される無端チェーン２００は、視認性の良くない汚水の中で循環駆動されるため、稼働中に無端チェーン２００の状態を確認することは非常に困難である。したがって、信頼性の高いチェーンリンク２１０及び連結軸２４０を選別して無端チェーン２００を構成することは、汚泥かき寄せ機１において非常に重要である。
【００６１】
また、本実施形態に係る汚泥かき寄せ機１及び無端チェーン２００では、チェーンリンク２１０に挿入された連結軸２４０の一端側に取り付けられる抜け止め用のピンフック２５０をさらに備え、ピンフック２５０がＰＣで構成されたことを特徴とする。ピンフック２５０がＰＣで構成されていることで、ＰＯＭよりも引張強度が高く、経年劣化による耐久性も高く、ステンレスよりも腐食に強く、安価な無端チェーン２００を提供することができる。
【００６２】
また、チェーンリンク２１０を接続する連結軸２４０の構成部材がナイロンではなくＰＣであるため、ナイロンのように連結軸２４０が膨潤し、チェーンリンク２１０の動きが悪く（しぶく）なる虞を低減することができる。また、ＰＯＭやナイロンよりも熱膨張率が低いため無端チェーン２００が主務スプロケットホイール３００や従動スプロケットホイール４００から脱輪する虞を低減することができる。
【００６３】
また、本実施形態に係る汚泥かき寄せ機１及び無端チェーン２００では、ピンフック２５０に中抜き孔２５０Ｈが設けられていることを特徴とする。このような汚泥かき寄せ機１では、連結軸２４０の抜け止め用のピンフック２５０がＰＣで構成されているため、ＰＯＭよりも引張強度が高く、経年劣化による耐久性も高く、ステンレスよりも腐食に強く、安価な汚泥かき寄せ機１を提供することができる。また、ピンフック２５０に中抜き孔２５０Ｈが設けられていることで、ＰＣによる成型時に気泡が混入することを防止することができる。気泡が混入していないことで、ピンフック２５０の強度を高めることができる。
【００６４】
また、本実施形態に係る汚泥かき寄せ機１及び無端チェーン２００では、複数のチェーンリンク２１０を連結する複数の連結軸２４０において、隣り合う連結軸２４０が互い違いの向きに挿入されたことを特徴とする。これにより、連結軸２４０の形状の非対称性に基づく無端チェーン２００の伸びのアンバランスが抑制され、無端チェーン２００の進行方向への直進性を保ちやすくなる。
【００６５】
また、本実施形態に係る汚泥かき寄せ機１及び無端チェーン２００の複数のチェーンリンク２１０は、各々、連結軸２４０を挿入するための第１の貫通孔（ボス）２１０Ｈを有する筒状の基部２１１と、基部２１１の両端２１１Ａ，２１１Ｂから長手方向に対し垂直方向に左右対称に各々延在する一対のプレート部２２０，２３０とを備える。
【００６６】
そして、プレート部２２０，２３０は、各々基部２１１とは反対側に連結軸２４０を挿入するための第２の貫通孔（ボス）２２０Ｈ，２３０Ｈと、第２の貫通孔２２０Ｈ，２３０Ｈの周囲を取り囲むようにして、プレート部２２０，２３０同士が対向する内側主面２２０Ａ，２３０Ａと反対側の外側主面２２０Ｂ，２３０Ｂに対して垂直方向に隆起した第１のリブ部２２０Ｄ，２３０Ｄを有することを特徴とする。
【００６７】
上記のように本実施形態に係る汚泥かき寄せ機１の各チェーンリンク２１０を構成する一対のプレート部２２０，２３０は、基部２１１とは反対側に連結軸２４０を挿入するための第２の貫通孔（ボス）２２０Ｈ，２３０Ｈを有している。そして、この第２の貫通孔２２０Ｈ，２３０Ｈの周囲を取り囲むようにして、プレート部２２０，２３０同士が対向する内側主面２２０Ａ，２３０Ａと反対側の外側主面２２０Ｂ，２３０Ｂに対して垂直方向に隆起した第１のリブ部２２０Ｄ，２３０Ｄを有する。このため、チェーンリンク２１０の各部材が合成樹脂材料で構成されていても十分な強度を得ることが出来る。
【００６８】
また、本実施形態に係る汚泥かき寄せ機１及び無端チェーン２００の複数のチェーンリンク２１０の一対のプレート部２２０，２３０は、各々、外側主面２２０Ｂ，２３０Ｂに対して垂直方向に隆起し、第１の貫通孔２１０Ｈから第２の貫通孔２２０Ｈ，２３０Ｈにかけて延在する第２のリブ部２２０Ｅ，２３０Ｅを有するので、さらに強度を高めることができる。
【００６９】
また、本実施形態に係る汚泥かき寄せ機１及び無端チェーン２００において、第２のリブ部２２０Ｅ，２３０Ｅは、第１の貫通孔２１０Ｈから第２の貫通孔２３０Ｈに向けて途中で分岐した略Ｙ字型に設けられたことを特徴とする。このように、第２のリブ部２２０Ｅ，２３０Ｅが第２の貫通孔２２０Ｈ，２３０Ｈ側に二手に分かれた略Ｙ字型に設けられることで、一対のプレート部２２０，２３０における間の開いている第２の貫通孔２２０Ｈ，２３０Ｈ側の補強効果をさらに高めることができる。
【００７０】
また、本実施形態に係る汚泥かき寄せ機１の主務スプロケットホイール３００及び従動スプロケットホイール４００の各部材を構成する合成樹脂であるＰＥＴ、ＰＥＮ又はＰＣは非着色の状態で透明又は半透明であること、すなわち結晶化していないことが好ましい。
【００７１】
ＰＥＴ、ＰＥＮ又はＰＣは、非結晶状態では可視光に対して透明もしくは半透明（非着色状態の場合）であるが、結晶化すると非着色の状態で白色又は乳白色となる。ＰＥＴ、ＰＥＮ又はＰＣが結晶化すると外力に対して弱くなり、割れや欠けが生じやすくなる。汚泥かき寄せ機の無端チェーン２００、主務スプロケットホイール３００及び従動スプロケットホイール４００には大きな力（通常５００Ｋｇ以上の力が加わり、製品性能として３０００Ｋｇの力が印加されても破断等しないことが求められる）が加わるため結晶化していないことが好ましい。
【００７２】
なお、この実施形態でいう「非結晶状態（結晶化していない状態）」とは、実用状態において非結晶状態または結晶化度が相当低い、あるいは結晶サイズが微細である、などの場合のことを言い、該場合においてＰＥＴ、ＰＥＮ又はＰＣが透明プラスチックとなる。一方、実用状態である程度結晶化度が高くなっている場合は不透明プラスチックとなる。これは、ポリマーは大きな分子なので全体が結晶化することは殆ど不可能であり、全体としては微結晶と非結晶の部分が混在し、その結晶と非結晶部の屈折率が異なるため、その界面で光の屈折や乱反射が起こり、その結果全体として不透明になると考えられる。
【００７３】
このような大きな力のかかる主務スプロケットホイール３００及び従動スプロケットホイール４００の各部材を構成する合成樹脂に、非着色状態で透明又は半透明である結晶化していないＰＥＴ、ＰＥＮ又はＰＣを用いることで割れや欠けが生じにくく十分な強度を有した汚泥かき寄せ機１を提供することができる。
【００７４】
さらに、本実施形態に係る汚泥かき寄せ機１の無端チェーン２００を構成するチェーンリンク２１０が備える一対のプレート部２２０，２３０の前端部Ｔ１の厚みＤ１は、７ｍｍ以上であり、後端部Ｔ２の厚みＤ２は、５ｍｍ以上である。このため、大きな力のかかるチェーンリンク２１０に十分な強度を確保することができ、無端チェーン２００に切断等の不具合が生じる虞を抑制することができる。
【００７５】
また、本実施形態に係る汚泥かき寄せ機１は、無端チェーン２００を構成するチェーンリンク２１０が備える一対のプレート部２２０，２３０の第２の貫通孔２２０Ｈ，２３０Ｈの周囲を取り囲むようにして、プレート部２２０，２３０同士が対向する内側主面２２０Ａ，２３０Ａに対して垂直方向に各々隆起した厚みが０．５ｍｍ〜１．５ｍｍの第３のリブ部を設けてもよい。この場合、該第３のリブ部は、その断面形状が台形状となっており、該台形の最上面が所定の幅を有する平坦面となっていることが好ましい。
【００７６】
第３のリブ部を設けることで、無端チェーン２００の長手方向に対して平行に力がかかるようになり、チェーンリンク２１０に捩れや拗れ等、ななめ方向に無理な力がかかることを効果的に抑制することができる。このため無端チェーン２００に切断等の不具合が生じる虞をより効果的に抑制することができる。
【００７７】
（引張強度の例）
ここで、無端チェーンの材料におけるＰＣ及びＰＯＭの引張強度の試験結果について説明する。
引張強度の試験では、チェーンリンク２１０及び連結軸２４０をＰＣで構成した試料と、同じ形状のチェーンリンク２１０及び連結軸２４０について材料をＰＯＭで構成した試料とを各々３つ用意した。ＰＣで構成した試料を、試料−ＰＣ１，試料−ＰＣ２及び試料−ＰＣ３とする。ＰＯＭで構成した試料を、試料−ＰＯＭ１，試料−ＰＯＭ２及び試料−ＰＯＭ３とする。
【００７８】
また、試料は、３つのチェーンリンク２１０を連結軸２４０で連結した３連チェーンである。引張強度の試験は、試料の両端を保持し、速度２ｍｍ／ｍｉｎで引っ張った際の最大強度（チェーンリンク２１０又は連結軸２４０が破断するまでの引っ張った際に印加された力）を測定した。試験結果を以下の表１及び表２に示す。表１はＰＣで構成した試料の試験結果であり、表２はＰＯＭで構成した試料の試験結果である。なお、上記破断とは、チェーンリンク２１０又は連結軸２４０の一部にヒビや欠けが生じたような状態ではなく、３つのチェーンリンク２１０を連結軸２４０で連結した３連チェーンが完全に断裂した状態のことである。
【００７９】
【表１】
2020124660.tif 000003
【００８０】
【表２】
2020124660.tif 000004
【００８１】
上記引張強度の試験の結果、ＰＣで構成した試料の最大強度の平均は約３５．０５ｋＮであり、ＰＯＭで構成した試料の最大強度の平均は約３１．１７ｋＮである。このように、ＰＣのほうがＰＯＭに比べて強度が高いことがわかる。特に、汚泥かき寄せ機１の無端チェーン２００はチェーンリンク２１０を数百個から千個程度連結させて循環動作をさせるため、高い強度が要求される。汚泥かき寄せ機１の無端チェーン２００としてＰＣを用いることで、ＰＯＭよりも優れた特性（特に、引張強度）を発揮できることが分かる。
【００８２】
（その他の実施形態）
図７は、他の実施形態におけるスプロケットホイールと無端チェーンとの噛み合いを示す図である。上記実施形態では、図５に示すように、チェーンリンク２１０を連結した際にできる隙間２１０Ｓに主務スプロケットホイール３００の円周上に所定の幅で形成された歯部３０２が入り込んで噛み合う構成とした。
【００８３】
しかし、スプロケットホイールと無端チェーンとの噛み合い上記実施形態に限られず、例えば、図７に示すように、無端チェーン２００を構成するチェーンリンク２１０の下部に窪み（ノッチ）２１０Ｎを設け、このチェーンリンク２１０の下部に窪み（ノッチ）２１０Ｎに主務スプロケットホイール３００が備える係合ピン３００Ｐが係合し、チェーンリンク２１０に主務スプロケットホイール３００の回転力が伝達される構成としてもよい。
【００８４】
以上説明したように、本発明に係る汚泥かき寄せ機及び無端チェーンによれば、十分な強度を有し、腐食に強い汚泥かき寄せ機及び無端チェーンを提供することができる。
【産業上の利用可能性】
【００８５】
以上で説明したように、本発明は、十分な強度を有し、腐食に強い汚泥かき寄せ機及び無端チェーンを提供することができる。このため、下水処理場において、最終沈殿池の池底に堆積する汚泥をかき寄せて集泥ピットに集める汚泥かき寄せ機に好適である。また、無端チェーンとしてＰＣを用いているので上水場においても使用することができる。
【符号の説明】
【００８６】
１  汚泥かき寄せ機
１５  汚泥ピット（排出溝）
１００  フライト体
２００  無端チェーン
２１０  チェーンリンク
２１０Ｈ  第１の貫通孔（ボス）
２１１  基部
２１１Ａ，２１１Ｂ  基部の端部
２２０，２３０  プレート部
２２０Ｈ，２３０Ｈ  第２の貫通孔（ボス）
２２０Ａ，２３０Ａ  内側主面
２２０Ｂ，２３０Ｂ  外側主面
２２０Ｃ，２３０Ｃ  第１のリブ部
２２０Ｄ，２３０Ｄ  第１のリブ部
２２０Ｅ，２３０Ｅ  第２のリブ部
２３１  中央部分
２３２  枝部分
２３５  リブ部
２４０  連結軸
２４１  頭部
２４３  切り欠き部
２５０  ピンフック
２５０Ｈ  中抜き孔
２７０  固定部材
３００  主務スプロケットホイール
３０１  貫通孔
３０２  歯部
３０５Ｈ  中抜き孔
４００  従動スプロケットホイール
５００  駆動手段
５１０  伝達ベルト
５２０  モータ
６００  支持部材
６１０  括れ部
６２０  肩部
６３０  本体部
６００Ｓ  底部
２３０１  凸部
２４１１  平坦部
Ａ  沈殿池
ＷＬ  水面
ＢＴ  池底
【図１】
2020124660.tif 000005
【図２】
2020124660.tif 000006
【図３】
2020124660.tif 000007
【図４】
2020124660.tif 000008
【図５】
2020124660.tif 000009
【図６】
2020124660.tif 000010
【図７】
2020124660.tif 000011
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
長尺のフライト体を、その長手方向に対して垂直な方向に走行させて、沈殿池の池底に堆積する汚泥を掻き寄せる汚泥かき寄せ機であって、
複数の前記フライト体が所定の間隔で固定された複数のチェーンリンクを連結軸によって枢着して無端に連結した一対の無端チェーンと、
前記沈殿池内に配設され、張架された前記無端チェーンを循環駆動させることによって前記池底に沈殿した汚泥を前記フライト体により掻き寄せる主務スプロケットホイール及び従動スプロケットホイールとを備え、
前記複数のチェーンリンクは、各々、
前記連結軸を挿入するための第１の貫通孔（ボス）を有する筒状の基部と、
前記基部の両端から長手方向に対し垂直方向に左右対称に各々延在する一対のプレート部とを備え、
前記一対のプレート部は、各々
前記基部とは反対側に連結軸を挿入するための第２の貫通孔（ボス）と、
前記第２の貫通孔の周囲を取り囲むようにして、前記プレート部同士が対向する内側主面とは反対側の外側主面に対して垂直方向に隆起した円筒状の第１のリブ部と、
前記外側主面に対して垂直方向に隆起し、前記プレート部の中央部から前記第１の貫通孔側に延在する１本の中央部分と、前記中央部分から前記第２の貫通孔側へ二手に分かれて所定の角度で拡がり前記第１のリブ部まで延在する枝部分とで構成される略Ｙ字型に設けられた第２のリブ部と、を有し、
前記無端チェーンは、
前記無端チェーンの進行方向に対して前記第１のリブ部が前方側となるように前記複数のチェーンリンクを連結軸によって枢着して無端に連結されてなることを特徴とする汚泥かき寄せ機。
【請求項２】
前記第２のリブ部の各々の隆起の高さは、前記第１の貫通孔から前記第２の貫通孔にかけて徐々に高くなるよう設けられていることを特徴とする請求項１に記載の汚泥かき寄せ機。
【請求項３】
前記第１のリブ部及び前記第２のリブ部とは異なる複数のリブ部が、前記第１のリブ部の周辺に放射状に設けられていることを特徴とする請求項１又は請求項２に記載の汚泥かき寄せ機。
【請求項４】
前記無端チェーンにおける前記チェーンリンク及び前記連結軸がＰＣ（ポリカーボネート）で構成されることを特徴とする請求項１乃至請求項３のいずれかに記載の汚泥かき寄せ機。
【請求項５】
前記チェーンリンクに挿入された前記連結軸の一端側に取り付けられる抜け止め用のピンフックをさらに備え、
前記ピンフックがＰＣで構成されたことを特徴とする請求項１乃至請求項４のいずれかに記載の汚泥かき寄せ機。
【請求項６】
前記ピンフックには中抜き孔が設けられたことを特徴とする請求項５に記載の汚泥かき寄せ機。
【請求項７】
前記複数のチェーンリンクを連結する複数の前記連結軸において、隣り合う前記連結軸は互い違いの向きに挿入されたことを特徴とする請求項１乃至請求項６のいずれかに記載の汚泥かき寄せ機。
【請求項８】
長尺のフライト体を、その長手方向に対して垂直な方向に走行させて、沈殿池の池底に堆積する汚泥を掻き寄せる汚泥かき寄せ機で用いられる無端チェーンであって、
前記無端チェーンは、
複数の前記フライト体が所定の間隔で固定された複数のチェーンリンクを連結軸によって枢着して無端に連結されてなり、
前記複数のチェーンリンクは、各々、
前記連結軸を挿入するための第１の貫通孔（ボス）を有する筒状の基部と、
前記基部の両端から長手方向に対し垂直方向に左右対称に各々延在する一対のプレート部とを備え、
前記一対のプレート部は、各々
前記基部とは反対側に連結軸を挿入するための第２の貫通孔（ボス）と、
前記第２の貫通孔の周囲を取り囲むようにして、前記プレート部同士が対向する内側主面とは反対側の外側主面に対して垂直方向に隆起した円筒状の第１のリブ部と、
前記外側主面に対して垂直方向に隆起し、前記プレート部の中央部から前記第１の貫通孔側に延在する１本の中央部分と、前記中央部分から前記第２の貫通孔側へ二手に分かれて所定の角度で拡がり前記第１のリブ部まで延在する枝部分とで構成される略Ｙ字型に設けられた第２のリブ部と、を有し、
前記無端チェーンの進行方向に対して前記第１のリブ部が前方側となるように前記複数のチェーンリンクを連結軸によって枢着して無端に連結されてなることを特徴とする無端チェーン。
【請求項９】
前記第２のリブ部の各々の隆起の高さは、前記第１の貫通孔から前記第２の貫通孔にかけて徐々に高くなるよう設けられていることを特徴とする請求項８に記載の無端チェーン。
【請求項１０】
前記第１のリブ部及び前記第２のリブ部とは異なる複数のリブ部が、前記第１のリブ部の周辺に放射状に設けられていることを特徴とする請求項８又は請求項９に記載の無端チェーン。
【請求項１１】
前記チェーンリンク及び前記連結軸がＰＣ（ポリカーボネート）で構成されることを特徴とする請求項８乃至請求項１０のいずれかに記載の無端チェーン。
【請求項１２】
前記チェーンリンクに挿入された前記連結軸の一端側に取り付けられる抜け止め用のピンフックをさらに備え、
前記ピンフックがＰＣで構成されたことを特徴とする請求項８乃至請求項１１のいずれかに記載の無端チェーン。
【請求項１３】
前記ピンフックには中抜き孔が設けられたことを特徴とする請求項１２に記載の無端チェーン。
【請求項１４】
前記複数のチェーンリンクを連結する複数の前記連結軸において、隣り合う前記連結軸は互い違いの向きに挿入されたことを特徴とする請求項８乃至請求項１３のいずれかに記載の無端チェーン。